(57)【要約】      （修正有）【課題】ドアの開口部に立設された竪枠や、戸袋の上下方向の角部に沿って設けられるコーナー部分の保護装置に関し、作業性にすぐれると共に、強い衝撃を受けても外れにくいコーナー部分の保護装置を提供する。【解決手段】ドアの開口部に立設された竪枠や戸袋の角部に設けられるコーナー部分の保護装置は、竪枠や戸袋の角部に固定される上下方向に所定寸法を有するアルミニウムの型材より形成されたベース材と、合成樹脂材より形成された、ベース材を覆うカバー材３より構成される。ベース材は、位置決め部側係止部２５を有し、カバー材は、位置決め部側係止部に位置決め部側２２から係止する係止突部３４を有しているものである。【選択図】図４
2010116745.tif 000002
【特許請求の範囲】
【請求項１】
ドアの開口部に立設された竪枠や戸袋の角部に設けられるコーナー部分の保護装置において、竪枠や戸袋の角部に固定される上下方向に所定寸法を有するアルミニウムの型材より形成されたベース材と、合成樹脂材より形成された、ベース材を覆うカバー材より構成され、ベース材は、竪枠にネジ止め連結される連結固定部と、連結固定部の竪枠の角部側の端部に連設された位置決め部と、連結固定部の位置決め部側と反対側の端部に形成された端部係合部と、連結固定部の位置決め部側端部からやや端部係合部よりに係止間隙を有して形成された位置決め部側係止部を有し、カバー材は、連結固定部に外嵌する固定部側外嵌部と、位置決め部側を外装する位置決め部側外装部よりなり、固定部側外嵌部には、端部係合部に外側から係合する端部係合突部と、位置決め部側係止部に位置決め部側から係止する係止突部が形成され、位置決め部側外装部には、位置決め部の端部に当接する戻り止め突部が形成されていることを特徴とするコーナー部分の保護装置。
【発明の詳細な説明】
【技術分野】
【０００１】
本発明は建物、特に病院や老人施設、養護施設等のドアの開口部に立設された柱や、戸袋の上下方向の角部に沿って設けられるコーナー部分の保護装置に関するものである。
【背景技術】
【０００２】
柱や壁の角部に人が突き当たったり、接触したりする事によって生じる打撲、障害等の減少、緩和、また車椅子、移動寝台、器材運搬車等の衝突から柱や壁面を保護する為のコーナー部分の保護装置としては、図１１に示すように、竪枠Ａに固定され、竪枠Ａの相隣る２面上の外端部にそれぞれ係合部Ｂ、Ｂを有するベース材Ｃと、前記係合部Ｂ、Ｂに弾発的に係合する係合突部Ｄ、Ｄを有し、竪枠Ａの角部を覆うカバー材Ｅと、前記ベース材Ｃに取り付け、竪枠の相隣る２面に密接して前記ベース材Ｃ、カバー材Ｅの上端を塞ぐキャップを備え、前期ベース材Ｃ、カバー材Ｅは、それぞれ竪枠の相隣る２面の方向に同一幅を有するものが提供されている。（例えば、特許文献１参照。）
【０００３】
この場合、図１２に示す矢印方向から移動寝台等の衝突による強い衝撃が与えられると、角部が内側に撓むことで、角部の内面縦方向に渡って形成された補強用突条Ｆ、Ｆのベース材Ｃ側端部がベース材Ｃの表面に当接し、この当接部分が支点となって、係合突部Ｄ、Ｄが設けられた部分を外方に撓ますこととなり（図１２に示す状態。）、係合部Ｂ、Ｂと係合突部Ｄ、Ｄの係合状態が外れることがあった。
【０００４】
一方、上記現象を回避するため、カバー材Ｅの角部の中心内面に補強突条を設けると、角部での弾性変形が困難となるので、逆に、カバー材Ｅをベース材Ｃに装着する作業がうまくいかないという問題が発生する。
又、補強用突条Ｆ、Ｆを設けないと、衝突時に角部がより内側方向に撓み、係合部と係合突部が外れやすくなる問題があった。
【０００５】
【特許文献１】特開２００５−８９９７２号公報
【発明の開示】
【発明が解決しようとする課題】
【０００６】
本発明は、作業性にすぐれると共に、強い衝撃を受けても外れにくいコーナー部分の保護装置を提供することを課題とする。
【課題を解決するための手段】
【０００７】
そこで、上記課題を解決する為、本発明が第１の手段として構成したところは、ドアの開口部に立設された竪枠や戸袋の角部に設けられるコーナー部分の保護装置において、竪枠や戸袋の角部に固定される上下方向に所定寸法を有するアルミニウムの型材より形成されたベース材と、合成樹脂材より形成された、ベース材を覆うカバー材より構成され、ベース材は、竪枠にネジ止め連結される連結固定部と、連結固定部の竪枠の角部側の端部に連設された位置決め部と、連結固定部の位置決め部側と反対側の端部に形成された端部係合部と、連結固定部の位置決め部側端部からやや端部係合部よりに係止間隙を有して形成された位置決め部側係止部を有し、カバー材は、連結固定部に外嵌する固定部側外嵌部と、位置決め部側を外装する位置決め部側外装部よりなり、固定部側外嵌部には、端部係合部に外側から係合する端部係合突部と、位置決め部側係止部に位置決め部側から係止する係止突部が形成され、位置決め部側外装部には、位置決め部の端部に当接する戻り止め突部が形成されているものである。
【発明の効果】
【０００８】
請求項１に記載の発明によると、連結固定部の位置決め部側端部からやや端部係合部よりに係止間隙を有して位置決め部側係止部を形成しているので、カバー材の固定部側外嵌部の位置決め部側係止部に位置決め部側から係止する係止突部を形成することが出来、
位置決め部側係止部と係止突部を形成したので、図１１に示す矢印の方向から衝撃を受けても、係止突部が位置決め部側から位置決め部側係止部に係止し、固定部側外嵌部が撓むことがないので、端部係合突部と端部係合部の係合状態が外れることがなく、戻り止め突部が位置決め部の端部に当接するので、カバー材が簡単にベース材から外れることがない。
【０００９】
又、図１１の矢印方向と対称の端部係合突部方向から衝撃を受けても、端部係合突部が端部係合部により強く外側から係合し、係止突部が連結固定部の表面に突っ張るので、カバー材が簡単にベース材から外れることがない。
すなわち、請求項１の発明によると、何れの方向から衝撃が加えられても、簡単にカバー材がベース材より外れることがない。
【発明を実施するための最良の形態】
【００１０】
本発明は、ドアの開口部に立設された竪枠や戸袋の角部に設けられるコーナー部分の保護装置において、竪枠や戸袋の角部に固定される上下方向に所定寸法を有するアルミニウムの型材より形成されたベース材と、合成樹脂材より形成された、ベース材を覆うカバー材より構成され、ベース材は、竪枠にネジ止め連結される連結固定部と、連結固定部の竪枠の角部側の端部に連設された位置決め部と、連結固定部の位置決め部側と反対側の端部に形成された端部係合部と、連結固定部の位置決め部側端部からやや端部係合部よりに係止間隙を有して形成された位置決め部側係止部を有し、カバー材は、連結固定部に外嵌する固定部側外嵌部と、位置決め部側を外装する位置決め部側外装部よりなり、固定部側外嵌部には、端部係合部に外側から係合する端部係合突部と、位置決め部側係止部に位置決め部側から係止する係止突部が形成され、位置決め部側外装部には、位置決め部の端部に当接する戻り止め突部が形成されているものである。
【実施例】
【００１１】
本発明の実施例を図面に基づいて説明する。
本発明のコーナー部分の保護装置１０は、図１に示す如く、ドアの開口部１００における竪枠１、戸袋１１の上下方向の角部に設けられるものである。
竪枠１の開口部１００側の角部に設けられたコーナー部分の保護装置１０について説明すると、コーナー部分の保護装置１０は、竪枠１の開口部１００側の角部に連結された、上下方向に所定寸法のベース材２と、ベース材２を覆う合成樹脂材より形成されたカバー材３と、ベース材２とカバー材３の上下端部に取付けられる合成樹脂材より形成された上下キャップ５、６より構成されている。
【００１２】
本発明のコーナー部分の保護装置１０が取付けられる竪枠１は、開口側部１２と、開口側部１２の出入り口側端部に連設された表面側部１３と、表面側部１３の壁面側端部に連設された壁面側部１４等より構成されている。
【００１３】
ベース材２は、アルミニウムの型材より形成され、表面側部１３にネジ止め連結される連結固定部２１と、連結固定部２１の竪枠１の角部側の端部に連設され、開口側部１２側に位置する位置決め部２２と、連結固定部２１の位置決め部２２側と反対側の端部に形成された表面側に突出する端部係合部２３と、連結固定部２１の位置決め部２２側端部からやや端部係合部２３よりに係止間隙２４を有して表面側に突出して形成された位置決め部側係止部２５を有し、上下方向に所定間隔を有する複数個の連結ネジ２６・・・にて、位置決め部２２が開口側部１２に当接した状態で、連結固定部２１と表面側部１３が連結される。
【００１４】
カバー材３は、連結固定部２１に外嵌する固定部側外嵌部３１と、位置決め部２２側を外装する位置決め部側外装部３２と、位置決め部側外装部３２に連設され、カバー材３がベース材２に取付けられた状態で、端部が竪枠１の開口側部１２に弾性的に当接する弾性爪部３６よりなり、固定部側外嵌部３１には、端部係合部２３に外側から係合する端部係合突部３３と、位置決め部側係止部２５に位置決め部２２側から係止する係止突部３４が形成され、位置決め部側外装部３２には、位置決め部２２の端部に当接する戻り止め突部３５が形成されているものである。
【００１５】
上下キャップ５、６は、ベース材２とカバー材３が床面から竪枠１のほぼ最上端部まで設けられる時は、必要でない。
すなわち、上キャップ５は、ベース材２とカバー材３の上端部分が、使用者等の視点に近い位置にある場合、ベース材２とカバー材３の上端部分を隠蔽するために取付けられるもので、下キャップ６は、ベース材２とカバー材３の下端部分が床面から離れて取付けられる場合、カバー材３が不測に下方に移動しないように取付られるものである。
【００１６】
上キャップ５は、カバー材３がベース材２に取付けられた状態で、固定部側外嵌部３１と、位置決め部側外装部３２と、弾性爪部３６の上端部の外側に位置する上外装部５１と、上外装部５１に連設され、カバー材３とベース材２の上端面を閉塞する上閉塞部５２よりなる上外嵌部５３と、ベース材２の端部係合部２３と位置決め部側係止部２５と、固定部側外嵌部３１間に位置するよう上閉塞部５２より下方に突出して形成された上嵌合突部５４と、カバー材３の戻り止め突部３５の弾性爪部３６側よりに嵌入する上嵌入突起５５より一体に形成されている。
【００１７】
下キャップ６は、カバー材３がベース材２に取付けられた状態で、固定部側外嵌部３１と、位置決め部側外装部３２と、弾性爪部３６の下端部の外側に位置する下外装部６１と、下外装部６１に連設され、カバー材３とベース材２の下端面を閉塞する下閉塞部６２よりなる下外嵌部６３と、ベース材２の端部係合部２３と位置決め部側係止部２５と、固定部側外嵌部３１間に位置するよう下閉塞部６２より上方に突出して形成された下嵌合突部６４と、カバー材３の戻り止め突部３５の弾性爪部３６側よりに嵌入する下嵌入突起６５（図４に示す。）より一体に形成されている。
そして、下キャップ６は、ベース材２を竪枠１に連結した状態で、ベース材２の下方より、ベース材２の端部係合部２３と位置決め部側係止部２５間に下嵌合突部５３を嵌合しした状態で、下嵌合突部５３を、連結ネジ６０にて竪枠１に連結される（図９に示す状態。）
【００１８】
本発明は、上記の如く構成され、竪枠１の角部にベース材２を連結ネジ２６・・・にて連結し、次にベース材２の下端部に下キャップ６を取り付け、さらに、カバー材３の戻り止め突部３５を位置決め部２２の端部に引っ掛けるようにしながら、係止突部３４を位置決め部側係止部２５の位置決め部２２側に位置させるようにしながら（図１０に示す状態。）、
端部係合部２３に端部係合突部３３を係合する。（図４に示す状態。）
そして、次に、端部係合部２３と位置決め部側係止部２５と、固定部側外嵌部３１間に上嵌合突部５３を嵌合して、上キャップ５を取付ける。
【図面の簡単な説明】
【００１９】
【図１】本発明の具備した吊り戸装置の正面略図
【図２】竪枠にベース材を連結した状態の要部横断面図
【図３】カバー材の要部横断面図
【図４】本発明の要部横縦断面図
【図５】本発明の使用状態の斜視図
【図６】上キャップの斜視図
【図７】上キャップの要部横断面図
【図８】下キャップの斜視図
【図９】本発明の要部分解斜視図
【図１０】カバー部材の取付途中を示す説明図
【図１１】従来例の説明図
【図１２】従来例の使用状態を示す説明図
【符号の説明】
【００２０】
１              竪枠
１０            コーナー部分の保護装置
１００          ドアの開口部
１１            戸袋
２              ベース材
２１            連結固定部
２２            位置決め部
２３            端部係合部
２４            係止間隙
２５            位置決め部側係止部
３              カバー材
３１            固定部側外装部
３２            位置決め部側外嵌部
３３            端部係合突部
３４            係止突部
３５            戻り止め突部
３６            弾性爪部
【図１】
2010116745.tif 000003
【図２】
2010116745.tif 000004
【図３】
2010116745.tif 000005
【図４】
2010116745.tif 000006
【図５】
2010116745.tif 000007
【図６】
2010116745.tif 000008
【図７】
2010116745.tif 000009
【図８】
2010116745.tif 000010
【図９】
2010116745.tif 000011
【図１０】
2010116745.tif 000012
【図１１】
2010116745.tif 000013
【図１２】
2010116745.tif 000014